(57)【特許請求の範囲】
【請求項１】
舞台などの上方に配置される複数の駆動源と、この各駆動源で駆動されるドラムと、この各ドラムにそれぞれの基端が連結されながら同期して繰り出されると共に同期して巻き取られる複数本の牽引体とを有し、この複数本の牽引体における各先端の昇降時に舞台の間口方向に延在されて吊り物を吊持する被吊り体を昇降させてなる吊り装置において、複数本となる牽引体の内の相隣する一対の牽引体を傾斜修正手段を介して被吊り体に連結させ、上記傾斜修正手段は被吊り体の軸線方向に沿って延在されながら両端または両端部に牽引体の先端を連結させる繋ぎ材を有し、この繋ぎ材の軸線方向の中央部を下方の被吊り体に枢着させて当該繋ぎ材の両端を上下方向に揺動可能にさせたことを特徴とする吊り装置。
【請求項２】
傾斜修正手段は、繋ぎ材の下方中央部に枢着されると共にこの繋ぎ材より短い中間材を有し、上記中間材に上記フレーム状体を連結させている請求項１に記載の吊り装置。
【請求項３】
上記繋ぎ材の中央部下面に設けたブラケットと、上記中間材の中央部上面に設けたブラケットとをピン結合して上記繋ぎ材と上記中間材と枢着させている請求項２に記載の吊り装置。
【発明の詳細な説明】
【技術分野】
【０００１】
この発明は、吊り装置に関し、特に、劇場の舞台などの上方に装備されて緞帳などの吊り物を昇降させる吊り装置の改良に関する。
【背景技術】
【０００２】
劇場の舞台などの上方に装備されて緞帳などの吊り物を昇降させる吊り装置としては、これまでに種々の提案があるが、その中で、たとえば、特許文献１には、比較的重量が大きい吊り物を昇降させる場合の利用に向く吊り装置の提案が開示されている。
【０００３】
すなわち、この吊り装置は、舞台などの上方に配設の簀の子上に配置される単一の駆動源と、この単一の駆動源に設けられて駆動されるドラムと、このドラムにそれぞれの基端が根付け（連結）されながらそれぞれ繰り出されると共にそれぞれ巻き取られ、舞台の間口方向に延在されて吊り物を吊持するバトンなどの被吊り体を昇降させる複数本の牽引体とを有してなる。
【０００４】
それゆえ、この吊り装置の提案にあっては、ドラムから繰り出され、あるいは、巻き取られる複数本の牽引体、たとえば、鋼索の速度が同一となる限りにおいて、複数本の牽引体によって比較的重量が大きい吊り物たるホリゾント幕をバトンを利用して昇降させ得る。
【特許文献１】特開平２００３‐２３６２６３号公報（要約，明細書中の段落０００９，同００１５，同００１６，図２参照）
【発明の開示】
【発明が解決しようとする課題】
【０００５】
しかしながら、上記した吊り装置の提案にあっては、比較的重量が大きい吊り物たるホリゾント幕を昇降させ得る点で問題はないが、この提案を利用するとき、些か不具合を生じる危惧があると指摘される可能性がある。
【０００６】
すなわち、吊り物がホリゾント幕より重量を大きくする緞帳となる場合には、その増大した分の荷重に対抗できる牽引体や駆動源にする必要があるが、牽引体たる鋼索を太くしたり駆動源を大きくしたりすると、装置全体のいたずらな重量の増大やこれに伴う、たとえば、簀の子の強化要請などの不具合を招き易くなる。
【０００７】
そこで、牽引体の本数を増やすと共に駆動源を増やせば、装置全体のいたずらな重量の増大やこれに伴う簀の子の強化要請などの不具合を招来せずに目的を達成し得るが、たとえば、複数になる駆動源の態勢によっては、装置の設置場所に制限を受ける。
【０００８】
すなわち、複数になる駆動源を一体構成とすれば、各駆動源が有する駆動誤差によるドラムから繰り出され、あるいは、ドラムに巻き取られる牽引体の移動速度の不一致を回避できる。
【０００９】
しかし、複数になる駆動源を一体構成にする場合には、上記したように、装置の設置場所に制限を受け易くなる危惧があり、したがって、複数の駆動源を分離しながら同期駆動させる方策が選択されるが、この場合には、各駆動源が有する駆動誤差などによるドラムから繰り出され、あるいは、ドラムに巻き取られる牽引体の移動速度の不一致が発現される危惧がある。
【００１０】
そして、この複数の駆動源の各ドラムから繰り出され、あるいは、各ドラムに巻き取られる牽引体の移動速度が不一致となる場合には、吊り物を下げるときに移動速度の早い牽引体が弛んで機能せず、また、吊り物を上げるときに移動速度の遅い牽引体が弛んで機能しない不具合を招く。
【００１１】
この発明は、このような現状を鑑みて創案されたものであって、その目的とするところは、複数の駆動源を同期利用して吊り物を昇降するときに、各駆動源のドラムから繰り出され、あるいは、各駆動源のドラムに巻き取られる牽引体の移動速度が不一致になるとしても、全ての牽引体が機能し得るようにして、その汎用性の向上を期待するのに最適となる吊り装置を提供することである。
【課題を解決するための手段】
【００１２】
上記した目的を解決するために、本発明の手段は、舞台などの上方に配置される複数の駆動源と、この各駆動源で駆動されるドラムと、この各ドラムにそれぞれの基端が連結されながら同期して繰り出されると共に同期して巻き取られる複数本の牽引体とを有し、この複数本の牽引体における各先端の昇降時に舞台の間口方向に延在されて吊り物を吊持する被吊り体を昇降させてなる吊り装置において、複数本となる牽引体の内の相隣する一対の牽引体を傾斜修正手段を介して被吊り体に連結させ、上記傾斜修正手段は被吊り体の軸線方向に沿って延在されながら両端または両端部に牽引体の先端を連結させる繋ぎ材を有し、この繋ぎ材の軸線方向の中央部を下方の被吊り体に枢着させて当該繋ぎ材の両端を上下方向に揺動可能にさせたことを特徴とするものである。
【００１３】
そして、傾斜修正手段が被吊り体の軸線方向に沿って延在されながら両端または両端部に牽引体の先端を連結させる繋ぎ材を有し、この繋ぎ材の軸線方向の中央部が下方の被吊り体側に枢着されてなるとする。
【発明の効果】
【００１４】
それゆえ、この発明にあっては、複数本となる牽引体の内の相隣する一対の牽引体が傾斜修正手段を介して被吊り体に連結されるから、被吊り体が傾斜することなく昇降される。
【００１５】
そして、この発明にあって、傾斜修正手段は被吊り体の軸線方向に沿って延在されながら両端または両端部に牽引体の先端を連結させる繋ぎ材を有し、この繋ぎ材の軸線方向の中央部を下方の被吊り体に枢着させたから、繋ぎ材が中央部を回動中心にして両端を上下方向に移動可能にする、すなわち、両側を上下方向に揺動可能にする。
【００１６】
したがって、この繋ぎ材に各先端が連結される相隣する一対の牽引体の間において、いずれか一方の牽引体における昇降速度が他方の牽引体の移動速度と異なることがあっても、いずれか一方あるいは他方の牽引体において弛むことがなく、牽引体として機能し、被吊り体を含めて吊り物が傾斜などすることなく設定の状態のまま昇降する。
【発明を実施するための最良の形態】
【００１７】
以下に、図示した実施形態に基づいて、この発明を説明するが、この発明による吊り装置は、たとえば、劇場の舞台空間などに具現化され、図１に示すように、舞台（床）Ｓの上方の機械室Ｒに配置される複数の駆動源１と、この各駆動源１で駆動されるドラム２と、この各ドラム２にそれぞれの基端が連結されながら同期して繰り出されると共に同期して巻き取られる複数本の牽引体３とを有してなる。
【００１８】
駆動源１およびドラム２は、図示するところでは、図中で左右方向となる舞台Ｓの間口方向の両側部たる袖部の上方などに画成される専用の機械室Ｒに配置されるが、この駆動源１およびドラム２が機能するところを勘案すると、これが簀の子Ｄ上に配置されても良い。
【００１９】
特に、多くの既存の劇場などでは、バトン装置などを設けることから、舞台Ｓの上方に簀の子Ｄを設けており、したがって、この簀の子Ｄを装備する限りには、この発明の吊り装置の配設が可能になる。
【００２０】
なお、駆動源１およびドラム２の配置場所を簀の子Ｄ上から機械室Ｒに移す場合には、簀の子Ｄ上を裏方などの作業者の立ち入りや通行に供する上で有利になり、したがって、この簀の子Ｄが作業者の立ち入りや通行を保障するのに充分な機械的強度を有するように形成されて、複数の駆動源１およびドラム２の支持をも保障する機械的強度を要することが要請されない点で有利になる。
【００２１】
また、簀の子Ｄは、たとえば、舞台Ｓの間口方向に延在される多数本の桁材Ｄ１で舞台Ｓの間口方向に多数本の帯状空間を出現させるように形成され、図示しないが、舞台Ｓの奥行き方向に延在される縦方向材の連結や天井を画成する側壁や梁などへの連結、さらには、天井から垂下される束材などの連結でいわゆる水平状態に保持される。
【００２２】
それゆえ、駆動源１が有するドラム２に基端が連結される牽引体３は、この簀の子Ｄに出現する帯状空間を挿通して先端側を下方たる舞台Ｓの上方に垂下させる。
【００２３】
ちなみに、簀の子Ｄとしては、図示しないが、舞台Ｓの間口方向に延在される多数本の桁材に舞台Ｓの奥行き方向に延在される多数本の桁材がいわゆる同レベルなどに連結されて格子状の平面形状を呈するものがある。
【００２４】
この格子状の簀の子Ｄにあっては、たとえば、略１０ｍ／ｍ×５ｍ／ｍ程度となる矩形空間がいわゆる左右に多数連続するので、この矩形空間に牽引体３を挿通して牽引体３の先端側を下方たる舞台Ｓの上方に垂下させる。
【００２５】
なお、上記の駆動源１およびドラム２は、上記の機械室Ｒに配置されるのに代えて、図示しないが、袖部と壁を隔てるなどする容室や空間に配設されても良い。
【００２６】
駆動源１は、多くの場合にそうであるように、たとえば、機械室Ｒの床に固定される基台（または基盤）１１を有し、この基台１１の上に電動モータ１２を有すると共に、この電動モータ１２で駆動されるドラム２を有してなる。
【００２７】
ところで、駆動源1は、この発明の吊り装置にあって、複数とされるが、それぞれが独立に配設され、たとえば、複数の駆動源１が電動モータ１２における駆動軸を同一にするなどで一体構成とされない。
【００２８】
と言うのも、前述したように、複数、すなわち、二台の電動モータ１２が一体構成とされる場合には、各牽引体３における移動速度が一致する利点がある反面で、吊り装置における設置場所に制限を受け易くなる不具合が招来される。
【００２９】
そこで、この発明に吊り装置では、複数の駆動源１を独立配置にして吊り装置における設置場所に制限を受け難くする一方で、各牽引体３における移動速度が不一致になる場合の不具合を回避するために、後述する傾斜修正手段５を有している。
【００３０】
基台１１は、電動モータ１２およびドラム２を固定状態に載置させながらの自己支持性を保障し得る強度を有するように形成され、多くの場合に、軽量化を可能にし得るように型鋼を利用したフレーム構造に形成されるであろう。
【００３１】
電動モータ１２は、ドラム２を駆動し得る限りには任意の構成とされて良いが、多くの場合に、商用電流で駆動される周知の構造のものが利用されるであろう。
【００３２】
そして、この電動モータ１２には、図示しないが、減速機構や変速機構、さらには、ドラム２の逆転機構やブレーキ機構などが連結され、多くの場合には、警報機構や緊急停止機構などが併設されるであろう。
【００３３】
ドラム２は、上記した基台１１に保持されながら正転および逆転を可能にすることで、牽引体３の繰り出しおよび巻き取りを可能にするもので、図示するところでは、複数本の牽引体３の各基端を根付、すなわち、固定的に連結させている。
【００３４】
そして、このドラム２は、その駆動時に相隣する牽引体３間に干渉を発現させずして、牽引体３を巻き取り、また、繰り出すとして、各牽引体３における移動速度の不一致を可能な限りに排除している。
【００３５】
牽引体３は、この種の吊り装置において、多くの場合にそうであるように、鋼索（ワイヤ）からなり、それぞれの基端が後述するドラム２に連結されて、複数のプーリ３１，３２を介しながらそれぞれ繰り出されると共にそれぞれ巻き取られ、上記のフレーム状体４を昇降させる。
【００３６】
そして、この牽引体３は、上記のドラム２に巻装される複数本が、図示するところでは、四本とされ、それぞれの長さが異なるとしているが、最も短い牽引体３であっても、略３０メートル以上の長さを有している。
【００３７】
と言うのも、仮にドラム２が簀の子Ｄ上に位置決められているとき、多くの場合に、舞台Ｓの床上から簀の子Ｄまでが３０メートル弱とされているので、牽引体３の下端を最大限下降させるとしても、牽引体３が略３０メートル以上の長さを有していれば足りるからである。
【００３８】
ところで、この発明による吊り装置は、基本的には、複数本の牽引体３における各先端の昇降時に舞台の間口方向に延在される吊り物、たとえば、緞帳Ｗを吊持する被吊り体たるフレーム状体４を昇降させる。
【００３９】
被吊り体たるフレーム状体４は、バトンやブリッジなどとされ、特に、バトンは、照明器具や拡声器、あるいは、マイクなどの吊り物を吊持するについては、沿革的には、単管からなるとされていたが、近年では、重量のある背景板やホリゾント幕などの比較的重量を大きくする吊り物の吊持を可能にするように、トラス構造に形成されたものなどがある。
【００４０】
そして、ブリッジは、文字通り、橋梁のように形成されて裏方などの作業者が内側を通行することを許容しながら、吊り物を吊持するもので、たとえば、緞帳Ｗなどのホリゾント幕に比較すれば重量が嵩む吊り物の吊持に向く。
【００４１】
いずれにしても、この発明の吊り装置は、上記のトラス構造に形成のバトンやブリッジからなる吊り体たるフレーム状体４に吊持されたり保持されたりする吊り物を吊持し、昇降させる。
【００４２】
そして、この発明による吊り装置は、複数本となる牽引体３の内の相隣する一対の牽引体３が傾斜修正手段５を介してフレーム状体４に連結されてなるとし、傾斜修正手段５は、基本的には、フレーム状体４の軸線方向に沿って延在されながら両端または両端部に牽引体３の先端を連結させる繋ぎ材５１を有し、この繋ぎ材５１の軸線方向の中央部が下方のフレーム状体４側に枢着されてなる。
【００４３】
そして、図示するところでは、この傾斜修正手段５は、上記の繋ぎ材５１の下方にこの繋ぎ材５１に並行するように、また、この繋ぎ材５１よりやや短く形成されて配設される中間材５２を有している。
【００４４】
中間材５２が繋ぎ材５１より短く形成されるのは、後述することであるが、繋ぎ材５１が傾斜するときに、この繋ぎ材５１がいたずらに中間材５２に干渉しないようにするためである。
【００４５】
また、図示する実施形態では、図２に示すように、繋ぎ材５１の軸線方向の中央部が中間材５２の軸線方向の中央部に枢着される一方で、中間材５２が両端あるいは両端部をフレーム状体４に固定状態に連結されて、結果として、繋ぎ材５１が下方のフレーム状体４に枢着される。
【００４６】
繋ぎ材５１および中間材５２は、自己支持性を有すると共に、フレーム状体４の吊持を可能にする機械的強度を有するように構成されるもので、たとえば、断面を矩形にするなどの鋼管からなる軽量型材で形成されであろう。
【００４７】
そして、繋ぎ材５１および中間材５２は、これが軽量型材で形成されるなどもあって、繋ぎ材５１にあっては、中央部の下面に、また、中間材５２にあっては、中央部の上面に、たとえば、舌片状に形成のブラケット５１ａ，５２ａをそれぞれ溶接などで保持しており、この両方のブラケット５１ａ，５２ａがピン５３の貫通で連結されて、両材５１，５２間における枢着を実現している。
【００４８】
それゆえ、図２中に実線図で示すように、繋ぎ材５１の両端または両端部に複数本となる牽引体３の内の相隣する一対の牽引体３の下端たる先端が連結されるとき、両方の牽引体３の長さが同じであれば、繋ぎ材５１は、図示するいわゆる水平状態のままに維持される。
【００４９】
それに対して、両方の牽引体３の長さが異なることになる、図２中に仮想線図で示すように、繋ぎ材５１が枢着点を支点にしてシーソー態様に傾斜し、このとき、傾斜角がいたずらに大きくならず、したがって、繋ぎ材５１が中間材５２に干渉しない限りにおいて、中間材５２は傾斜しない。
【００５０】
以上からすると、繋ぎ材５１の傾斜時にこれが中間材５２に干渉しないようにするためには、図示しないが、繋ぎ材５１が両端を上方に持ち上げる弓状に形成されるとしても良く、このとき、合わせて、中間材も両端を下方に下げる弓状に形成されるとしても良い。
【００５１】
以上のように形成されたこの発明の吊り装置にあっては、複数本となる牽引体３の内の相隣する一対の牽引体３が傾斜修正手段５を介して被吊り体たるフレーム状体４に連結されるから、このフレーム状体４が傾斜することなく昇降される。
【００５２】
そして、この発明の吊り装置にあっては、傾斜修正手段５がフレーム状体４の軸線方向に沿って延在されながら両端または両端部に牽引体３の先端を連結させる繋ぎ材５１を有し、この繋ぎ材５１の軸線方向の中央部が下方のフレーム状体４側に枢着されてなるから、繋ぎ材５１が中央部の枢着点を支点にシーソー態様に傾斜し得ることになり、上記の一対となる牽引体３の移動速度が互いに異なり、したがって、いずれか一方の牽引体３が弛む状況になるとき、この牽引体３の弛みが繋ぎ材５１の傾斜で解消される。
【００５３】
それゆえ、複数本の牽引体３で吊持される吊り物、たとえば、緞帳Ｗが上端を傾斜などさせることなく、吊持され、また、昇降されることになる。
【００５４】
前記したところでは、この発明による吊り装置にあって、特に、駆動源１がドラム２と共に固定状態に配置される設定とされているが、この発明の意図するところからすれば、図示しないが、駆動源１がドラム２と共に移動型に設定されても良く、また、その構成から、この吊り装置がバトン装置とされても良いことはもちろんである。
【図面の簡単な説明】
【００５５】
【図１】この発明による吊り装置を示す正面図である。
【図２】傾斜修正手段を示す正面図である。
【符号の説明】
【００５６】
１  駆動源
２  ドラム
３  牽引体
４  被吊り体たるフレーム状体
５  傾斜修正手段
１１  基台（または基盤）
１２  電動モータ
３１，３２  プーリ
５１  繋ぎ材
５２  中間材
Ｄ  簀の子
Ｒ  機械室
Ｓ  舞台（床）
Ｗ  吊り物たる緞帳
【図１】
0005190868.tif 000002
【図２】
0005190868.tif 000003